(57)【要約】【課題】簡易な構造で扉の開閉方向を変えられる筐体を提供する。【解決手段】開口部４を有する本体１と、開口部４の周縁の一部に沿う軸を中心として回動可能に支持されて開口部４を開閉可能な扉２と、を備える筐体１０であって、本体１は、扉２を回動可能に支持するヒンジ３を着脱可能であって、ヒンジ３を固定できる取付部５を、扉２の異なる少なくとも２つの回動の中心軸のそれぞれに対応して備える。好ましくは、扉２は、ヒンジ３を着脱可能であってヒンジ３を固定できる固定部６を、扉２の異なる少なくとも２つの回動の中心軸のそれぞれに対応して備える。【選択図】図１
2008277713.tif 000002
【特許請求の範囲】
【請求項１】
開口を有する本体と、その開口の周縁の一部に沿う軸を中心として回動可能に支持されて前記開口を開閉可能な外装部材と、を備える筐体であって、
前記本体は、前記外装部材を回動可能に支持するヒンジを着脱可能であって該ヒンジを固定できる取り付け部を、前記外装部材の少なくとも２つの異なる回動の中心軸のそれぞれに対応して備える
ことを特徴とする筐体。
【請求項２】
前記外装部材は、前記ヒンジを着脱可能であって該ヒンジを固定できる固定部を、前記外装部材の前記少なくとも２つの異なる回動の中心軸のそれぞれに対応して備える
ことを特徴とする請求項１に記載の筐体。
【請求項３】
前記外装部材は、前記外装部材の前記少なくとも２つの異なる回動の中心軸のそれぞれに対応して、前記外装部材を回動可能に支持するヒンジを備えることを特徴とする請求項１に記載の筐体。
【請求項４】
前記外装部材は、その形状が前記ヒンジの固定部を除いて回転対称であり、
前記本体の前記取り付け部の位置は、前記外装部材が前記開口を閉じる位置における前記外装部材の回転対称の軸に平行な線に関して回転対称である
ことを特徴とする請求項１に記載の筐体。
【請求項５】
前記筐体は、閃光灯装置の筐体であることを特徴とする請求項１乃至４のいずれか１項に記載の筐体。
【発明の詳細な説明】
【技術分野】
【０００１】
本発明は機器又は装置の筐体に関する。より詳しくは、本体の開口の周縁の一部に沿った軸を中心として回動可能に支持される蓋を有する筐体に関する。
【背景技術】
【０００２】
一般に装置、特に電気機器において、その稼働期間中に内部を点検したり、部品を交換したり、設定の変更を行ったりするために、筐体の一部を開いて内部を見る必要がある。そのような保守のときに開口部分の外装部材を保持しておくために、本体に回動可能に支持された扉を備えた筐体が用いられることがある。
【０００３】
扉を備える筐体では、機器の設置場所によっては扉の開閉に障害物があって、扉を完全に開放できない場合がある。そのような場合に備えて、扉を左右どちらにも開閉できることが便利である。
【０００４】
例えば、特許文献１には、配電盤の扉を左右いずれにも開閉できるヒンジの構成が記載されている。特許文献１の技術は、配電盤の扉の左右にヒンジを設け、ヒンジの構成としては、扉に円筒材を固定するとともに円筒材の中にバネを介して一対の鋼球を設ける一方、筐体には受金を固定して円筒材の長さと対応する凹部を形成するとともに凹部の両端には鋼球のはいり込む球面状凹部を形成し、受金に対して円筒材が着脱自在かつ回動自在にする。
【０００５】
また、特許文献２は、箱本体に対する扉の開き方向を変更可能とするとともに、扉の特定の一側辺部の位置を上下左右に変更可能とする構造を備えた収納箱の技術が記載されている。特許文献２の技術は、収納箱は箱本体と、箱本体の開口側端部に取り付けられる扉とより構成されている。箱本体の左右両側壁の上下両取付孔は、それぞれジョイント部材が取り付け可能に形成されている。扉の隣接する第２側辺部と第３側辺部の裏面には相対向する一対の軸受けが２ヶ所ずつ形成されている。そして、ジョイント部材の取付位置を変更し、扉をその周方向へ９０度回転させて連結することにより、扉の開き方向を変更することができるとともに、把持片が形成された一側辺部の位置を隣接する側辺部へ変更することができる。
【０００６】
特許文献３に記載の技術は、 荷箱外壁の左右一方の側部に第１アームの基端部を、また開閉蓋の左右他方の側部に同アームの先端部をそれぞれヒンジ連結すると共に、外壁の左右他方の側部に第２アームの基端部を、また開閉蓋の左右一方の側部に同アームの先端部をそれぞれヒンジ連結し、開閉蓋を左右一方側に開く時には、外壁に第２アームを置き去りにしたまま、開閉蓋が第１アームと共に回動し、また開閉蓋を左右他方側に開く時には、外壁に第１アームを置き去りにしたまま、開閉蓋が第２アームと共に回動する。
【０００７】
【特許文献１】実開平０５−１５６０５号公報
【特許文献２】特開２００２−２８２０６１号公報
【特許文献３】特開２００６−１６０３１０号公報
【発明の開示】
【発明が解決しようとする課題】
【０００８】
扉を左右どちらにも開閉できる関連する技術は、ヒンジの構造を工夫して、扉を回動可能に支持する軸の位置を変更するものである。関連する技術の左右開閉可能な扉構造は、ヒンジにばねと鋼球を用いてヒンジとキャッチを兼ねたり（特許文献１）、ヒンジのアーム又は軸受けと軸とを分割できるように構成している。そのため、ヒンジが複雑な構造になっていた。
【０００９】
本発明は、特に閃光灯装置等の筐体に適用することを想定している。閃光灯は、例えば、鉄塔、煙突、吊り橋の橋脚、などの非常に高い建造物や滑走路の導光などに備え付けられ、常時閃光を発して航空機等にその位置を知らせるものである。常時作動するため、定期的に管球を交換するなどの保守が必要であり、保守は高所の作業となるので、蓋が回動可能に支持される扉構造であることが必要である。
【００１０】
設置される場所が限定される機器の場合、設置される周囲の状況に合わせて、扉の開閉方向を変えられることが必要である。しかし、閃光灯装置のような場合、設置するときに扉の開閉方向を決めたのちは、扉の開閉方向を変える必要はない。また、屋外に設置されるので、扉は防雨構造が必要でヒンジも耐久性が要求される。関連する技術の左右開閉可能な扉構造は、開閉のつど扉の開閉方向を変えられるものもあるが、閃光灯装置ではそこまでは必要なく、むしろ構造が堅牢で防雨構造にできることが重視される。
【００１１】
本発明は、上記事情に鑑みてなされたものであり、簡易な構造で扉の開閉方向を変えられる筐体を提供することを目的とする。
【課題を解決するための手段】
【００１２】
本発明の第１の観点に係る筐体は、
開口を有する本体と、その開口の周縁の一部に沿う軸を中心として回動可能に支持されて前記開口を開閉可能な外装部材と、を備える筐体であって、
前記本体は、前記外装部材を回動可能に支持するヒンジを着脱可能であって、該ヒンジを固定できる取り付け部を、前記外装部材の少なくとも２つの異なる回動の中心軸のそれぞれに対応して備える
ことを特徴とする。
【００１３】
好ましくは、前記外装部材は、前記ヒンジを着脱可能であって該ヒンジを固定できる固定部を、前記外装部材の前記少なくとも２つの異なる回動の中心軸のそれぞれに対応して備える
ことを特徴とする。
【００１４】
前記外装部材は、前記外装部材の前記少なくとも２つの異なる回動の中心軸のそれぞれに対応して、前記外装部材を回動可能に支持するヒンジを備えてもよい。
【００１５】
又は、前記外装部材は、その形状が前記ヒンジの固定部を除いて回転対称であり、
前記本体の前記取り付け部の位置は、前記外装部材が前記開口を閉じる位置における前記外装部材の回転対称の軸に平行な線に関して回転対称であるよう構成してもよい。
【００１６】
特に、前記筐体は、閃光灯装置の筐体の場合がある。
【発明の効果】
【００１７】
本発明の筐体によれば、開口を有する本体と、その開口の周縁の一部に沿う軸を中心として回動可能に支持されて前記開口を開閉可能な外装部材とを備える筐体において、簡易な構造で外装部材の開閉する方向を変更することができる。
【発明を実施するための最良の形態】
【００１８】
以下、この発明の実施例について図面を参照しながら詳細に説明する。なお、図中同一または相当部分には同一符号を付し、その説明は繰り返さない。
【００１９】
（実施例１）
図１は、本発明の実施例１に係る筐体の構成例を示す立面図である。筐体１０は、本体１、扉２、ヒンジ３、取付部５を備える。本体１は、機器を収容する箱体であり、開口部４を有する。扉２は、開口部４を開閉する外装部材であり、ヒンジ３で回動可能に支持される。
【００２０】
取付部５は、ヒンジ３をネジなどの締結部材で固定する台座である。取付部５は、ヒンジ３を着脱することができる。取付部５は、本体１の開口部４の周縁の筐体外壁に、開口部４の両側に対向して形成される。取付部５は、部材を溶接などにより取り付けられてもよいし、部材を取り付けることなく本体１と一体に形成されてもよい。
【００２１】
図２は、ヒンジ３の取付を示す側面図である。扉２を回動可能に支持する軸に対応して、ヒンジ３を固定するための固定部６が扉２に形成されている（図１参照）。固定部６は、ヒンジ３に適合するように、例えば、平面であり、ヒンジ３を締結するためのネジ穴８が形成されている。本体１の取付部５にも同じようにネジ穴８が形成されている。ヒンジ３は、ネジ７とネジ穴８で締結して、取付部５と固定部６にまたがって取り付けられる。そして、扉２はヒンジ３の回転軸を中心に回動可能に支持される。
【００２２】
ヒンジ３を取付部５及び固定部６に固定する方法としてはネジ７に限定されず、着脱可能なブッシュ、又は適当な弾性体やてこを応用する挟み込み機構などを用いる方法でもよい。図２の例では、１つの回動可能な支持軸に対して、２つのヒンジ３が用いられる。１つの回動可能な支持軸に対するヒンジ３の数は、１以上であればよい。なお、着脱可能なヒンジ３の構造は公知技術によるものであって構わない。
【００２３】
図１に示すように、図１に向かって左にヒンジ３が固定されている場合、扉２は矢印Ｌで示す左方向（図１で反時計回り）に開く。左に固定されているヒンジ３を取り外して、図１に向かって右側の取付部５及び固定部６にヒンジ３を取り付けることができる。ヒンジ３を右側に固定した場合、扉２は矢印Ｒで示す右方向（図１で時計回り）に開く。
【００２４】
扉２を回動可能に支持したい軸に対応して取付部５及び固定部６を形成し、いずれかの支持軸に対応する取付部５及び固定部６にヒンジ３を取り付けることによって、本体１に対して扉２の開閉方向を変えることができる。
【００２５】
図１の例では、取付部５及び固定部６を開口部４の両側に対向して形成しているが、それ以外の位置に取付部５及び固定部６を備えることもできる。取付部５及び固定部６は、開口部４の周縁の一部に沿う、扉２の支持軸に対応して形成する。例えば、開口部４に向かって、左右だけでなく、扉２の支持軸が上又は下の位置になるように取付部５及び固定部６を形成すれば、扉２を上又は下に開くようにできる。
【００２６】
なお、開口部４の周縁の一部に沿った２以上の異なる軸を中心として開閉が可能という条件を満たせば、扉２は、例えば、任意の多角形又は円形など、どのような形状であっても構わない。
【００２７】
以上、説明したように、本発明の筐体によれば、開口を有する本体と、その開口の周縁の一部に沿う軸を中心として回動可能に支持されて前記開口を開閉可能な外装部材とを備える筐体において、簡易な構造で外装部材の開閉する方向を変更することができる。特に、ヒンジ３を筐体の外側に設置させながら、扉の開閉する方向を変更することができる。その結果、閃光灯装置のように本体と扉を防水構造（防雨又は防滴構造を含む）とする筐体に適用することが可能である。
【００２８】
（実施例２）
図３は、本発明に係る実施例２に係る筐体１０の構成例を示す立面図である。実施例２では、扉２の異なる回動可能な支持軸に対応して、複数の箇所にすでにヒンジ３が扉２に固定されている。図３の例では、図３に向かって筐体１０の左右にヒンジ３を備える。取付部５は、実施例１と同様に、ヒンジ３を着脱することができる。
【００２９】
扉２の回動可能に支持する軸の１つに対応する箇所のヒンジ３を、それに対応する取付部５に固定し、他のヒンジ３を取付部５からはずすことによって、取付部５に固定したヒンジの回転軸を中心に、扉２は回動可能に支持される。ヒンジ３は、実施例１のように、扉２に固定される構造であってよい。また、例えば、ヒンジ３のウィングの一方が扉２と一体に形成されていてもよい。
【００３０】
図４は、図３の筐体１０について扉２の開閉状態を示す。ヒンジ３を図３に向かって左側の取付部５に固定した場合、図４（ａ）に示すように、扉２は反時計回りに開く。他方、ヒンジ３を図３に向かって右側の取付部５に固定した場合、図４（ｂ）に示すように、扉２は時計回りに開く。このように、扉２の回動可能に支持する軸の１つに対応する箇所のヒンジ３のみが取付部５に固定されて、それ以外のヒンジ３は扉２に固定されたまま、扉２が開閉する。
【００３１】
本実施例２では、扉２を回動可能に支持したい軸に対応して取付部５を形成し、それらに対応してヒンジ３を備える。いずれかの支持軸に対応する取付部５に対応するヒンジ３を取付部５に固定し、他のヒンジ３を固定しないことによって、本体１に対して扉２の開閉方向を変えることができる。本実施例２では、扉２の回動可能な支持軸を変更するときに、ヒンジ３を扉２から取り外し、再び他の箇所に取り付ける必要がない。
【００３２】
本実施例２においても、例えば、開口部４に向かって、左右だけでなく、扉２の支持軸が上又は下の位置になるように取付部５及びヒンジ３を備えれば、扉２を上又は下に開くようにできる。また、開口部４の周縁の一部に沿った２以上の異なる軸を中心として開閉が可能という条件を満たせば、扉２は、例えば、任意の多角形又は円形など、どのような形状であっても構わない。
【００３３】
（実施例３）
図５は、本発明に係る実施例３に係る筐体の構成例を示し、扉２の開閉方向の変更を説明する図である。実施例３は、扉２とヒンジ３を一体のまま、向きを変えて本体１に取り付けることにより、開閉する方向を変更する。実施例３では、扉２の形状は、ヒンジ３の固定部分を除いて回転対称である。
【００３４】
図５の例では、筐体１０は、図５に向かって本体１の左右に取付部５が形成されている。ヒンジ３を取付部５に固定する方法は、実施例１と同様である。ヒンジ３は扉２に固定されている。ヒンジ３のウィングは、扉２と一体に形成されていてもよい。図５（ａ）では、ヒンジ３は向かって左側の取付部５に固定されている。そして、扉２は、図５に向かって反時計回りに開く。
【００３５】
ヒンジ３を取付部５からはずして、扉２とヒンジ３を一体のまま、開口面の法線（紙面内の線）を軸として１８０度回転し、ヒンジ３を図５に向かって右側の取付部５に固定することができる。その場合、図５（ｂ）に示すように、扉２は、図５に向かって時計回りに開く。
【００３６】
図６は、扉２の開閉方向の変更を説明する平面図である。扉２は、ヒンジ３の固定部分を除いて回転対称である。取付部５は、扉２を閉じた位置における扉２の回転対称軸に関して、回転対称の位置に形成される。扉２とヒンジ３を一体のまま、回転対称軸を中心として回転対称の位置（図６の２点鎖線で示す）に回転させて、ヒンジ３を対応する本体１の取付部５に固定する。その結果、図５に示すように、扉２の開閉方向を変えることができる。
【００３７】
図７は、回転対称な扉２の形状の例を示す。本実施例３では、扉２の形状は、ヒンジ３の部分を除いて回転対称であれば、図６及び図７に限定されない。図７（ａ）は、扉２がほぼ正三角形の場合、図７（ｂ）は、正六角形の場合、図７（ｃ）は円形の場合をそれぞれ示す。
【００３８】
図７（ｂ）と（ｃ）の例では、扉２の１つの回動可能な軸に対して、１つのヒンジ３で表している。図７に示すように、ヒンジ３の位置は、扉２の回転対称の回数に対応する場合がある。例えば、平行四辺形（長方形、菱形を含む）では２通り、正三角形では３回軸なので３通り、正方形では４回軸なので４通り、正六角形では６通りである。図７（ａ）と（ｂ）では、回転対称の位置を全て示しているが、回転対称の位置全てに対応して取付部５を備えなくてもよい。図７（ｃ）に示すように、扉２が円形の場合は、その周上の任意の箇所に取付部５を備えて、扉２の回動可能な軸を変えることができる。
【００３９】
図８は、実施例３の異なる例を示す。図８の例は、扉２を閉じた位置で、扉２が開口面に平行な線について回転対称の場合である。図８では、扉２の向きを示すために、その断面の片側にハッチングを付けている。
【００４０】
図８（ａ）では、ヒンジ３は向かって左側の取付部５に固定されている。そして、扉２は、図８に向かって反時計回りに開く。図８に向かって左側の取付部５に固定されていたヒンジ３をはずし、扉２を開口面に平行な線（紙面に垂直な線）を中心として１８０度回転させて、ヒンジ３を右側の取付部５に固定することができる。その結果、図８（ｂ）に示すように、扉２は、図８に向かって時計回りに開く。
【００４１】
ヒンジ３は扉２に固定されている。ヒンジ３のウィングは、扉２と一体に形成されていてもよい。図８では、扉２はヒンジ３のウィングになっている。図８の例では、取付部５は、筐体の中心線を含む平面について鏡面対称の位置にある。扉２はいわば表裏をひっくり返して開口面に対向する。そのため、ヒンジ３もリバーシブルであることが必要である。少なくとも、左右の取付部５はそれぞれ、ヒンジ３の表裏それぞれに適合するように形成する。
【００４２】
扉２は、回転対称であれば、平面状でなくてもよい。例えば、断面がクランク形状であってもよい。その場合、開口面は図８の方向で見て、階段状になる。その場合も含めて一般に取付部５の位置は、扉２を閉じた状態で扉２の回転対称軸に平行な線に関して、回転対称である。例えば取付部５のネジ穴８の位置やヒンジ３の表裏を考慮すると、厳密には、回転対称となるわけではない。また、左右の取付部５の面が平行でない場合も厳密には回転対称とは言えないが、本発明では、それらの場合を含めて回転対称の位置とする。
【００４３】
以上、説明したように、本発明の筐体によれば、開口を有する本体と、その開口の周縁の一部に沿う軸を中心として回動可能に支持されて前記開口を開閉可能な外装部材とを備える筐体において、簡易な構造で外装部材の開閉する方向を変更することができる。特に、ヒンジ３を筐体の外側に設置させながら、扉の開閉する方向を変更することができる。その結果、閃光灯装置のように本体と扉を防水構造（防雨又は防滴構造を含む）とする筐体に適用することが可能である。
【００４４】
本発明の実施形態について説明したが、本発明は上述した実施形態に限定されることなく、本発明の範囲内で種々の実施形態が可能である。
【図面の簡単な説明】
【００４５】
【図１】本発明の実施例１に係る筐体の構成例を示す立面図である。
【図２】ヒンジの取付を示す側面図である。
【図３】本発明に係る実施例２に係る筐体の構成例を示す立面図である。
【図４】図３の筐体について扉の開閉状態を示す図である。
【図５】本発明に係る実施例３に係る筐体の構成例を示し、扉の開閉方向の変更を説明する図である。
【図６】扉の開閉方向の変更を説明する平面図である。
【図７】回転対称な扉の形状の例を示す図である。
【図８】実施例３の異なる例を示す図である。
【符号の説明】
【００４６】
１  本体
２  扉
３  ヒンジ
４  開口部
５  取付部
６  固定部
７  ネジ
８  ネジ穴
１０  筐体
【図１】
2008277713.tif 000003
【図２】
2008277713.tif 000004
【図３】
2008277713.tif 000005
【図４】
2008277713.tif 000006
【図５】
2008277713.tif 000007
【図６】
2008277713.tif 000008
【図７】
2008277713.tif 000009
【図８】
2008277713.tif 000010